(57)【要約】【課題】原稿両面の読み取り結果である表面画像および裏面画像を、表裏の関係であることが分かるように表示可能な表示装置、表示制御プログラムおよび表示装置の制御方法を提供する。【解決手段】ＰＣ２は、原稿の表面を読み取った表面画像データと、同一の原稿の裏面を読み取った裏面画像データと、を取得する取得部２１０と、原稿の読み取り結果を表示する表示領域において、表面画像データに基づく表面画像と、裏面画像データに基づく裏面画像と、の一部を重ねて表示させる表示制御部２４０と、を備える。【選択図】図２
2018152648.tif 000002
【特許請求の範囲】
【請求項１】
原稿の表面を読み取った表面画像データと、同一の前記原稿の裏面を読み取った裏面画像データと、を取得する取得部と、
前記原稿の読み取り結果を表示する表示領域において、前記表面画像データに基づく表面画像と、前記裏面画像データに基づく裏面画像と、の一部を重ねて表示させる表示制御部と、を備えることを特徴とする表示装置。
【請求項２】
前記表示制御部は、前記原稿が複数枚存在する場合、互いに重ねて表示される前記表面画像および前記裏面画像を複数組表示させることを特徴とする請求項１に記載の表示装置。
【請求項３】
互いに重ねて表示される前記表面画像および前記裏面画像を一括して編集する編集操作部を備えることを特徴とする請求項１または２に記載の表示装置。
【請求項４】
前記表面画像と前記裏面画像との重なり具合を変更する重なり変更操作部を備えることを特徴とする請求項１ないし３のいずれか１項に記載の表示装置。
【請求項５】
前記表示制御部は、前記原稿の読み取り結果を表示する前記表示領域のサイズ、前記表面画像および前記裏面画像の画像サイズ、前記表示領域に表示される前記表面画像および前記裏面画像の数、のうち少なくとも１つの情報に応じて、前記表面画像と前記裏面画像との重なり具合を変更させることを特徴とする請求項１ないし３のいずれか１項に記載の表示装置。
【請求項６】
前記表面画像データおよび前記裏面画像データを、これらが表裏の関係となることを示す情報を付加して出力する出力部を備えることを特徴とする請求項１ないし５のいずれか１項に記載の表示装置。
【請求項７】
表示装置を、
原稿の表面を読み取った表面画像データと、同一の前記原稿の裏面を読み取った裏面画像データと、を取得する取得部と、
前記原稿の読み取り結果を表示する表示領域において、前記表面画像データに基づく表面画像と、前記裏面画像データに基づく裏面画像と、の一部を重ねて表示させる表示制御部と、として機能させることを特徴とする表示制御プログラム。
【請求項８】
原稿の表面を読み取った表面画像データと、同一の前記原稿の裏面を読み取った裏面画像データと、を取得し、
前記原稿の読み取り結果を表示する表示領域において、前記表面画像データに基づく表面画像と、前記裏面画像データに基づく裏面画像と、の一部を重ねて表示させることを特徴とする表示装置の制御方法。
【発明の詳細な説明】
【技術分野】
【０００１】
本発明は、原稿の読み取り結果を表示する表示装置、表示制御プログラムおよび表示装置の制御方法に関する。
【背景技術】
【０００２】
従来、この種の技術として特許文献１が知られている。特許文献１には、両面原稿の表面の情報と、裏面の情報と、を表示画面に並べて表示する技術が開示されている。
【先行技術文献】
【特許文献】
【０００３】
【特許文献１】特開２０００−３１５２５４号公報
【発明の概要】
【発明が解決しようとする課題】
【０００４】
ところが、特許文献１のように、表面の情報と裏面の情報を並べて表示するだけでは、例えば２枚の原稿についてそれぞれ表裏の情報が左上、右上、左下、右下のように並べられている場合、上下の情報・左右の情報のいずれが表裏の関係となるのか、分かりづらいといった問題があった。
【０００５】
本発明は、上記の問題点に鑑み、原稿両面の読み取り結果である表面画像および裏面画像を、表裏の関係であることが分かるように表示可能な表示装置、表示制御プログラムおよび表示装置の制御方法を提供することを目的とする。
【課題を解決するための手段】
【０００６】
本発明の表示装置は、原稿の表面を読み取った表面画像データと、同一の原稿の裏面を読み取った裏面画像データと、を取得する取得部と、原稿の読み取り結果を表示する表示領域において、表面画像データに基づく表面画像と、裏面画像データに基づく裏面画像と、の一部を重ねて表示させる表示制御部と、を備えることを特徴とする。
【０００７】
本発明の表示制御プログラムは、表示装置を、原稿の表面を読み取った表面画像データと、同一の原稿の裏面を読み取った裏面画像データと、を取得する取得部と、原稿の読み取り結果を表示する表示領域において、表面画像データに基づく表面画像と、裏面画像データに基づく裏面画像と、の一部を重ねて表示させる表示制御部と、として機能させることを特徴とする。
【０００８】
本発明の表示装置の制御方法は、原稿の表面を読み取った表面画像データと、同一の原稿の裏面を読み取った裏面画像データと、を取得し、原稿の読み取り結果を表示する表示領域において、表面画像データに基づく表面画像と、裏面画像データに基づく裏面画像と、の一部を重ねて表示させることを特徴とする。
【０００９】
本発明の構成によれば、原稿両面の読み取り結果である表面画像と裏面画像の一部が重ねて表示されるため、ユーザーは、これら２枚の画像が表裏の関係であることを把握できる。
なお、「原稿」とは、用紙のみならず、カード状媒体など厚みのある媒体でもよい。
【００１０】
上記の表示装置において、表示制御部は、原稿が複数枚存在する場合、互いに重ねて表示される表面画像および裏面画像を複数組表示させることを特徴とする。
【００１１】
本発明の構成によれば、ユーザーは、原稿が複数枚存在する場合でも、互いに重ねて表示された２枚の画像がそれぞれ表裏の関係であることを把握できる。
【００１２】
上記の表示装置において、互いに重ねて表示される表面画像および裏面画像を一括して編集する編集操作部を備えることを特徴とする。
【００１３】
本発明の構成によれば、表面画像および裏面画像を一括して編集する編集操作が可能であるため、表面画像と裏面画像に対しそれぞれ編集操作を行う場合と比較して、ユーザーの手間を軽減できる。
【００１４】
上記の表示装置において、表面画像と裏面画像との重なり具合を変更する重なり変更操作部を備えることを特徴とする。
【００１５】
本発明の構成によれば、表面画像と裏面画像との重なり具合を小さくすることで、重なり順が下側（表示階層が下階層）の画像の視認性をよくすることができる。逆に、表面画像と裏面画像との重なり具合を大きくすることで、表示面積を小さくすることができ、表示領域内における表面画像および裏面画像の表示数を多くすることができる。
【００１６】
上記の表示装置において、表示制御部は、表示領域のサイズ、表面画像および裏面画像の画像サイズ、表示領域に表示される表面画像および裏面画像の数、のうち少なくとも１つの情報に応じて、表面画像と裏面画像との重なり具合を変更させることを特徴とする。
【００１７】
本発明の構成によれば、原稿の読み取り結果を表示する表示領域のサイズ等に応じ、適切な重なり具合で表面画像および裏面画像を表示させることができる。例えば、表示領域のサイズが小さい場合は、表面画像と裏面画像との重なり具合を大きくすることで、画像サイズの縮小率を小さくすることができる。逆に、表示領域のサイズが大きい場合は、表面画像と裏面画像との重なり具合を小さくすることで、重なり順が下側（表示階層が下階層）の画像の視認性をよくすることができる。
【００１８】
上記の表示装置において、表面画像データおよび裏面画像データを、これらが表裏の関係となることを示す情報を付加して出力する出力部を備えることを特徴とする。
【００１９】
本発明の構成によれば、付加された情報に基づいて、出力された画像データを有効利用することができる。例えば、両面印刷が可能な印刷装置に出力し、印刷装置において、２枚の画像データが同一原稿の表面画像および裏面画像であることを判定して印刷を行うことで、元の原稿を複製することができる。また、画像編集アプリケーションに出力し、画像編集アプリケーションにおいて、２枚の画像データが同一原稿の表面画像および裏面画像であることを判定することで、原稿ごとに異なる画像処理を施すことができる。
その他、出力先としては、表示装置と通信可能な各種装置、文書編集アプリケーションなどが考えられる。
【００２０】
なお、本発明の表示装置は、物理的に１つの装置で実現してもよいし、複数の装置を協働させて実現してもよい。また、本発明に記載された各部の機能は、各々が物理的に独立したハードウェア資源で実現されるものに限定されず、１つのハードウェア資源で複数の機能を実現してもよいし、複数のハードウェア資源で１つの機能を実現してもよい。
【図面の簡単な説明】
【００２１】
【図１】本発明の一実施形態に係る画像読取システムのハードウェア構成を示すブロック図である。
【図２】画像読取システムの機能構成を示すブロック図である。
【図３】「画像単位で編集」モード時の画像一覧表示画面の表示例を示す図である。
【図４】「原稿単位で編集」モード時の画像一覧表示画面の表示例を示す図である。
【図５】「原稿単位で編集」モード時の、原稿枠の表示例を示す図である。
【図６】「原稿単位で編集」モード時の、表裏切り替え操作を示す図である。
【図７】図６に続く、表裏切り替え操作を示す図である。
【図８】「原稿単位で編集」モード時の、裏面画像一括選択状態を示す図である。
【図９】「原稿単位で編集」モード時の、重なり具合変更操作を示す図である。
【図１０】「原稿単位で編集」モード時の、白紙ページの表示例を示す図である。
【図１１】「原稿単位で編集」モード時の、拡大画面の表示例を示す図である。
【図１２】スキャン進捗表示画面の表示例を示す図である。
【発明を実施するための形態】
【００２２】
以下、添付の図面を参照して、本発明の表示装置、表示制御プログラムおよび表示装置の制御方法の一実施形態を説明する。本実施形態では、「表示装置」の一例としてパーソナルコンピューター（以下、「ＰＣ」と表記する）を例示する。
【００２３】
図１は、本発明の一実施形態に係る画像読取システムＳＹのハードウェア構成を示すブロック図である。画像読取システムＳＹは、スキャナー１およびＰＣ２を含む。スキャナー１とＰＣ２は、ＬＡＮ等のネットワークＮＷを介して接続される。なお、ネットワークＮＷに代え、ケーブルまたは無線通信を介してスキャナー１とＰＣ２を接続する構成でもよい。
【００２４】
スキャナー１は、ハードウェア構成として、ＣＰＵ（Central  Processing  Unit）１１、ＲＯＭ（Read  Only  Memory）１２、ＲＡＭ（Random  Access  Memory）１３、通信インターフェース（以下、「通信Ｉ／Ｆ」と表記する）１４、操作パネル１５および読取機構１６を備える。
【００２５】
ＣＰＵ１１は、スキャナー１内の各部と信号の入出力を行い、各種演算処理を行う。ＲＯＭ１２は、不揮発性の記憶媒体であり、スキャナー１のファームウェア等を記憶する。ＲＡＭ１３は、揮発性の記憶媒体であり、ＣＰＵ１１のワークエリアとして用いられる。通信Ｉ／Ｆ１４は、ネットワークＮＷを介してＰＣ２と通信する。操作パネル１５は、ディスプレーおよびタッチ式センサーを一体形成したものであり、表示手段および入力手段として用いられる。また、原稿の片面のみをスキャンする「片面原稿スキャン」と、原稿の両面をスキャンする「両面原稿スキャン」と、のいずれかを選択する選択手段としても用いられる。
【００２６】
読取機構１６は、原稿から画像データを光学的に読み取るものであり、原稿を走査する光源、原稿で反射された光を電気信号に変換するイメージセンサー等を含む。また、読取機構１６は、原稿の表面を読み取る表面読取機構と、原稿の裏面を読み取る裏面読取機構と、を有する。操作パネル１５の操作により「片面原稿スキャン」が指示された場合、表面読取機構または裏面読取機構により原稿の片面のみをスキャンし、「両面原稿スキャン」が指示された場合、表面読取機構および裏面読取機構により原稿の両面を同時にスキャンする。
【００２７】
ＰＣ２は、ハードウェア構成として、通信Ｉ／Ｆ２１、ＣＰＵ２２、ＲＯＭ２３、ＲＡＭ２４、ディスプレー２５、ＨＤＤ（Hard disk drive）２６、キーボード２７およびマウス２８を備える。
【００２８】
通信Ｉ／Ｆ２１は、ネットワークＮＷを介してスキャナー１と通信する。ＣＰＵ２２は、ＰＣ２内の各部と信号の入出力を行い、各種演算処理を行う。ＲＯＭ２３は、不揮発性の記憶媒体であり、各種制御プログラムおよび各種制御データを記憶する。ＲＡＭ２４は、揮発性の記憶媒体であり、ＣＰＵ２２のワークエリアとして用いられる。ディスプレー２５は、画像一覧表示画面Ｄ１，Ｄ２（図３，図４等参照）など、各種情報を表示する。
【００２９】
ＨＤＤ２６は、補助記憶装置であり、ＯＳ（Operating System）４１やスキャナードライバー４２等を記憶する。スキャナードライバー４２は、スキャナー１を制御すると共に、画像一覧表示画面Ｄ１，Ｄ２などのユーザーインターフェースを提供するプログラムである。なお、スキャナードライバー４２は、「表示制御プログラム」の一例である。キーボード２７およびマウス２８は、画像一覧表示画面Ｄ１，Ｄ２等においてユーザーが各種操作を行うための操作手段として用いられる。
【００３０】
次に、図２を参照し、画像読取システムＳＹの機能構成を説明する。スキャナー１は、機能構成として、読取部１１０を備える。読取部１１０は、読取機構１６により、スキャナー１の原稿台に配置された１枚以上の原稿から画像データを読み取る。
【００３１】
なお、以下の説明において、原稿の表面を読み取った画像データを「表面画像データ」、原稿の裏面を読み取った画像データを「裏面画像データ」と称する。また、「表面画像データ」に基づいて表示される画像を「表面画像」、「裏面画像データ」に基づいて表示される画像を「裏面画像」と称する。
【００３２】
ＰＣ２は、機能構成として、取得部２１０、重なり変更操作部２２０、編集操作部２３０、表示制御部２４０、出力データ生成部２５０および出力部２６０を備える。
【００３３】
取得部２１０は、スキャナー１から、１枚以上の原稿の表面画像データおよび裏面画像データを取得する。
【００３４】
重なり変更操作部２２０は、キーボード２７やマウス２８の操作により、画像一覧表示画面Ｄ２（図４等参照）に表示された表面画像Ｉａと裏面画像Ｉｂとの重なり具合を変更する。なお、「重なり具合」とは、表面画像Ｉａと裏面画像Ｉｂとの合計面積に対する、表面画像Ｉａと裏面画像Ｉｂとの重複領域の面積の割合を指す。つまり、「重なり具合」が大きいとは、合計面積に対する重複領域の面積の割合が大きいことを意味し、最大５０％となる。逆に、「重なり具合」が小さいとは、合計面積に対する重複領域の面積の割合が小さいことを意味し、最小０％となる。
【００３５】
編集操作部２３０は、キーボード２７やマウス２８の操作により、画像一覧表示画面Ｄ１，Ｄ２（図３，図４等参照）に表示された表面画像Ｉａおよび裏面画像Ｉｂを編集する。図３に示す画像一覧表示画面Ｄ１は、表面画像Ｉａおよび裏面画像Ｉｂの各画像を個別に編集する「画像単位で編集」モード時の表示例である。また、図４に示す画像一覧表示画面Ｄ２は、互いに重ねて表示される表面画像Ｉａおよび裏面画像Ｉｂを一括して編集する「原稿単位で編集」モード時の表示例である。画像一覧表示画面Ｄ２は、「原稿の読み取り結果を表示する表示領域」の一例である。
【００３６】
ユーザーは、「画像単位で編集」モードおよび「原稿単位で編集」モードのいずれかのモードを選択して、表面画像Ｉａおよび裏面画像Ｉｂの編集操作を行う。但し、「原稿単位で編集」モードは、スキャナー１において「両面原稿スキャン」が指示された場合のみ選択可能である。なお、本実施形態では、編集操作として、画像の移動、回転、削除、および表面画像Ｉａと裏面画像Ｉｂの入れ替え等の操作を行う。操作方法については、後述する。
【００３７】
表示制御部２４０は、画像一覧表示画面Ｄ１，Ｄ２（図３，図４参照）およびスキャン進捗表示画面Ｄ３（図１２参照）の表示制御を行う。また、「原稿単位で編集」モード時の画像一覧表示画面Ｄ２では、少なくともその初期画面において、表面画像Ｉａと裏面画像Ｉｂとの一部を重ねて表示させる（図４参照）。また、表示制御部２４０は、スキャナー１により複数枚の原稿が読み取られた場合（取得部２１０が複数枚の原稿の表面画像データおよび裏面画像データを取得した場合）、互いに重ねて表示される表面画像Ｉａおよび裏面画像Ｉｂを一組として、複数組表示させる。なお、以下の説明では、表面画像Ｉａおよび裏面画像Ｉｂの組を「画像組」と称する。また、表示制御部２４０は、重なり変更操作部２２０および編集操作部２３０により操作が行われた場合、その操作結果を画像一覧表示画面Ｄ１，Ｄ２に反映させる。
【００３８】
出力データ生成部２５０は、取得部２１０が取得した１以上の表面画像データおよび裏面画像データ、並びに編集操作部２３０の操作結果に基づいて、出力データを生成する。また、出力データ生成部２５０は、「原稿単位で編集」モード時において、取得部２１０が取得した１以上の表面画像データおよび裏面画像データを所定のファイル形式（ＰＤＦ形式、ＴＩＦＦ形式など）に変換した変換済み画像データと、表面画像データおよび裏面画像データが表裏の関係となることを示す付加情報と、を含む出力データを生成する。生成した出力データは、ＨＤＤ２６内の所定の記憶領域に保存される。
【００３９】
出力部２６０は、出力データ生成部２５０により生成された出力データを出力する。出力先としては、印刷装置などＰＣ２と通信可能な各種装置、ＰＣ２内にインストールされた各種アプリケーションなどが考えられる（いずれも図示省略）。なお、出力部２６０は、ユーザーの所定の操作または任意のアプリケーションからの命令に基づいて、出力データを出力する。
【００４０】
次に、図３ないし図１２を参照し、重なり変更操作部２２０および編集操作部２３０の操作方法、並びに表示制御部２４０による表示制御について、具体例を挙げて説明する。図３は、「画像単位で編集」モード時の画像一覧表示画面Ｄ１の表示例を示す図である。画像一覧表示画面Ｄ１は、上から第１領域５１、第２領域５２および第３領域５３に分割される。
【００４１】
画面中央の第２領域５２は、表面画像Ｉａおよび裏面画像Ｉｂの一覧を表示する。同図は、原稿５枚分の表面画像Ｉａおよび裏面画像Ｉｂの表示例を示す。なお、各画像上の「表１」や「裏１」などの文字は、説明のために付したものであり、実際に表示されるものではない。表示制御部２４０は、「画像単位で編集」モードの場合、１枚目の原稿の表面画像Ｉａ「表１」、１枚目の原稿の裏面画像Ｉｂ「裏１」、２枚目の原稿の表面画像Ｉａ「表２」、２枚目の原稿の裏面画像Ｉｂ「裏２」、の順に画像を並べる。画像の並びは、同図のように、左から右に向かって配置するのではなく、上から下に向かって配置するなど、その方向は問わない。また、同図の例では、横方向に５つ、且つ２行に渡って画像を配置しているが、１行あたり（または１列あたり）の枚数、および行数（または列数）は、画像一覧表示画面Ｄ１の画面サイズに応じて変更する。
【００４２】
画面上部の第１領域５１は、編集アイコン群６０を表示する。表示制御部２４０は、「画像単位で編集」モードの場合、編集アイコン群６０として、左移動アイコン６１、右移動アイコン６２、削除アイコン６３、右回転アイコン６４および左回転アイコン６５を表示する。
【００４３】
左移動アイコン６１は、第２領域５２に表示された画像（表面画像Ｉａまたは裏面画像Ｉｂ）を、１つずつ左側に移動させるためのアイコンである。つまり、選択された画像の場所を一つ前の画像の場所と入れ替える。例えば、「裏１」の裏面画像Ｉｂが選択された状態で左移動アイコン６１が押下された場合、「裏１」の裏面画像Ｉｂの場所と「表１」の表面画像Ｉａの場所が入れ替わる。逆に、右移動アイコン６２は、第２領域５２に表示された画像（表面画像Ｉａまたは裏面画像Ｉｂ）を、１つずつ右側に移動させるためのアイコンである。つまり、選択された画像の場所を一つ後の画像の場所と入れ替える。
【００４４】
削除アイコン６３は、選択した画像を削除させるためのアイコンである。例えば、「裏１」の裏面画像Ｉｂが選択された状態で削除アイコン６３が押下された場合、「裏１」の裏面画像Ｉｂを削除し、その後の画像の場所が１つずつ前に移動する。右回転アイコン６４は、選択した画像を９０°ずつ右回転させるためのアイコンである。逆に、左回転アイコン６５は、選択した画像を９０°ずつ左回転させるためのアイコンである。
【００４５】
画面下部の第３領域５３は、編集ボタン群７０を表示する。表示制御部２４０は、「画像単位で編集」モードの場合、編集ボタン群７０として、破棄ボタン７１、追加ボタン７２および保存ボタン７３を表示する。
【００４６】
破棄ボタン７１は、第２領域５２に表示された画像を一括破棄させるためのボタンである。また、追加ボタン７２は、第２領域５２に画像を追加表示させるためのボタンである。なお、追加ボタン７２が押下された場合、ＨＤＤ２６内の所定の記憶領域からユーザーにより選択された画像データに基づく画像を追加してもよいし、取得部２１０がスキャナー１から取得した画像データに基づく画像を追加してもよい。保存ボタン７３は、第２領域５２に表示された画像を保存させるためのボタンである。ＰＣ２（出力データ生成部２５０）は、保存ボタン７３が選択されると、第２領域５２に表示された１以上の画像に対応する１以上の画像データに基づいて出力データを生成する。
【００４７】
図４は、「原稿単位で編集」モード時の画像一覧表示画面Ｄ２の表示例を示す図である。画像一覧表示画面Ｄ２も、画像一覧表示画面Ｄ１と同様に、第１領域５１、第２領域５２および第３領域５３に分割される。
【００４８】
画面中央の第２領域５２は、表面画像Ｉａおよび裏面画像Ｉｂの一覧を表示する。なお、各画像上または矢印で示す「表１」や「裏１」などの文字は、説明のために付したものであり、実際に表示されるものではない。表示制御部２４０は、「原稿単位で編集」モードの場合、同一の原稿の読み取り結果から得られる表面画像Ｉａおよび裏面画像Ｉｂの一部を重ね、画像組単位で表示する。同図は、原稿５枚分の画像組Ｇの表示例を示す。表示制御部２４０は、「原稿単位で編集」モードの場合、１枚目の原稿の画像組Ｇ、２枚目の原稿の画像組Ｇ、の順に並べる。画像組Ｇの並びは、同図のように、左から右に向かって配置するのではなく、上から下に向かって配置するなど、その方向は問わない。また、同図の例では、横方向に５つ、且つ２行に渡って画像組Ｇを配置しているが、１行あたり（または１列あたり）の組数、および行数（または列数）は、画像一覧表示画面Ｄ２の画面サイズに応じて変更する。
【００４９】
画面上部の第１領域５１は、編集アイコン群６０を表示する。表示制御部２４０は、「原稿単位で編集」モードの場合、編集アイコン群６０として、左移動アイコン６１、右移動アイコン６２、削除アイコン６３、右回転アイコン６４、左回転アイコン６５、表裏入れ替えアイコン６６、表面選択アイコン６７および裏面選択アイコン６８を表示する。なお、これらのうち、左移動アイコン６１、右移動アイコン６２、削除アイコン６３、右回転アイコン６４、左回転アイコン６５が押下されると、表面画像Ｉａおよび裏面画像Ｉｂを一括して編集する。つまり、編集操作部２３０は、これらのアイコン６１〜６５を用いて編集操作を行う。
【００５０】
左移動アイコン６１は、第２領域５２に表示された画像組Ｇを、１つずつ左側に移動させるためのアイコンである。つまり、選択された画像組Ｇの場所を一つ前の画像組Ｇの場所と入れ替える。例えば、画像組Ｇ１（表面画像Ｉａ「表８」および裏面画像Ｉｂ「裏８」の組）が選択された状態で左移動アイコン６１が押下された場合、画像組Ｇ１の場所と画像組Ｇ２（表面画像Ｉａ「表７」および裏面画像Ｉｂ「裏７」の組）の場所を入れ替える。逆に、右移動アイコン６２は、第２領域５２に表示された画像組Ｇを、１つずつ右側に移動させるためのアイコンである。つまり、選択された画像組Ｇの場所を一つ後の画像組Ｇの場所と入れ替える。
【００５１】
なお、画像組Ｇの選択は、図５に示すように、選択枠８０で示される。同図では、画像組Ｇ３が選択された状態を示している。選択方法は、目的の画像組Ｇを構成する表面画像Ｉａまたは裏面画像Ｉｂの上、若しくはその近傍をマウス２８でワンクリックするなどの方法が考えられる。また、複数の画像組Ｇを選択することも可能であり、この場合、複数の選択枠８０が表示される。
【００５２】
削除アイコン６３は、選択した画像組Ｇを削除させるためのアイコンである。例えば、画像組Ｇ１が選択された状態で削除アイコン６３が押下された場合、画像組Ｇ１（表面画像Ｉａ「表８」および裏面画像Ｉｂ「裏８」）を削除し、その後の画像組Ｇの場所が１つずつ前に移動する。右回転アイコン６４は、選択した画像組Ｇ（表面画像Ｉａおよび裏面画像Ｉｂ）を９０°ずつ右回転させるためのアイコンである。逆に、左回転アイコン６５は、選択した画像組Ｇを９０°ずつ左回転させるためのアイコンである。
【００５３】
表裏入れ替えアイコン６６は、選択した画像組Ｇの表面画像Ｉａと裏面画像Ｉｂを入れ替えるためのアイコンである。例えば、図６に示すように、画像組Ｇ４が選択されている状態で、表裏入れ替えアイコン６６が押下されると、画像組Ｇ４に含まれる表面画像Ｉａと裏面画像Ｉｂの重ね順序を逆にする。つまり、表面画像Ｉａを裏面画像Ｉｂの上に表示した状態（図６参照）と、裏面画像Ｉｂを表面画像Ｉａの上に表示した状態（図７参照）と、を入れ替えることができる。このように、表面画像Ｉａと裏面画像Ｉｂの重ね順序を逆にすることで、ユーザーは、表面画像Ｉａの下に重ねられた裏面画像Ｉｂの情報を確認することができる。
【００５４】
なお、表面画像Ｉａと裏面画像Ｉｂの入れ替えは、表裏入れ替えアイコン６６の押下に限らず、カーソル（図示省略）を、重ね順が下となる裏面画像Ｉｂのうち表面画像Ｉａと重なっていない領域（図６の画像組Ｇ４の斜線部領域）に合わせ、マウス２８をクリックするなどの操作で実行可能としてもよい。
【００５５】
また、いずれの画像組Ｇも選択されていない状態で、表裏入れ替えアイコン６６が押下された場合、第２領域５２に表示されている全ての画像組Ｇにおいて、表面画像Ｉａと裏面画像Ｉｂの入れ替えを行ってもよい。
【００５６】
表面選択アイコン６７は、第２領域５２に表示されている全ての画像組Ｇの表面画像Ｉａを選択状態とするためのアイコンである。逆に、裏面選択アイコン６８は、第２領域５２に表示されている全ての画像組Ｇの裏面画像Ｉｂを選択状態とするためのアイコンである。例えば、図８は、裏面選択アイコン６８が押下された状態を示す。この状態で、削除アイコン６３が押下されると、全ての画像組Ｇの裏面画像Ｉｂを削除する。また、この状態で、右回転アイコン６４が押下されると、全ての画像組Ｇの裏面画像Ｉｂを右回転させ、左回転アイコン６５が押下されると、全ての画像組Ｇの裏面画像Ｉｂを左回転させる。
【００５７】
画面下部の第３領域５３は、「原稿単位で編集」モードの場合、編集ボタン群７０およびスライダー７４を表示する。編集ボタン群７０としては、破棄ボタン７１、追加ボタン７２および保存ボタン７３を表示する。
【００５８】
破棄ボタン７１は、第２領域５２に表示された画像組Ｇ（表面画像Ｉａおよび裏面画像Ｉｂ）を一括破棄させるためのボタンである。また、追加ボタン７２は、第２領域５２に画像組Ｇを追加表示させるためのボタンである。保存ボタン７３は、第２領域５２に表示された画像組Ｇを保存させるためのボタンである。ＰＣ２（出力データ生成部２５０）は、保存ボタン７３が選択されると、第２領域５２に表示された１以上の画像組Ｇに対応する１以上の表面画像データおよび裏面画像データに基づいて出力データを生成する。このとき、同一の原稿の読み取り結果から得られる表面画像データおよび裏面画像データには、これらが表裏の関係となることを示す付加情報を付加して出力データを生成する。
【００５９】
スライダー７４は、第２領域５２に表示されている全ての画像組Ｇを対象として、表面画像Ｉａと裏面画像Ｉｂの重なり具合を変更させるための操作子である。重なり変更操作部２２０は、このスライダー７４を用いて操作を行う。本実施形態では、ツマミ７４ａをスライダーバー７４ｂに沿って左側に移動させると、重なり具合が大きくなり、ツマミ７４ａを右側に移動させると、重なり具合が小さくなる。例えば、図４に示す例では、ツマミ７４ａがスライダーバー７４ｂの左端付近にあるため、表面画像Ｉａと裏面画像Ｉｂの重なり具合が大きくなっている。なお、ツマミ７４ａがスライダーバー７４ｂの左端にある場合は、表面画像Ｉａと裏面画像Ｉｂが完全に重なる表示となる（図示省略）。これに対し、図９に示す例では、ツマミ７４ａがスライダーバー７４ｂの右端付近にあるため、表面画像Ｉａと裏面画像Ｉｂの重なり具合が小さくなっている。なお、ツマミ７４ａがスライダーバー７４ｂの右端にある場合は、表面画像Ｉａと裏面画像Ｉｂが離れた表示となる（図示省略）。
【００６０】
一方、図１０は、「原稿単位で編集」モード時の、白紙ページの表示例を示す図である。表示制御部２４０は、「原稿単位で編集」モードの場合、取得した表面画像データおよび裏面画像データを解析して白紙ページを検出すると、そのページの読み取り結果を削除し、黒塗り画像で表現する。同図では、画像組Ｇ５の表面画像Ｉａに対応する表面画像データと、画像組Ｇ６の裏面画像Ｉｂに対応する裏面画像データが白紙ページとして検出された場合を示している。また、同図の状態で、保存ボタン７３が選択されると、黒塗り画像で表現されたページに対応する画像データは、保存対象とならない。このように、白紙ページの画像データを削除するため、保存するデータ量を削減することができる。また、同図に示すように、白紙ページを黒塗り画像で表示することで、どの画像と組になっているページが削除されたかを、ユーザーが認識できる。
【００６１】
図１１は、「原稿単位で編集」モード時の、拡大画面８２の表示例を示す図である。表示制御部２４０は、ユーザーの所定の操作により、選択された画像組Ｇを構成する表面画像Ｉａおよび裏面画像Ｉｂの拡大画像を含む拡大画面８２を表示する。所定の操作としては、画像組Ｇを構成する表面画像Ｉａまたは裏面画像Ｉｂの上、若しくはその近傍をマウス２８でダブルクリックする操作などが考えられる。拡大画面８２では、表面画像Ｉａおよび裏面画像Ｉｂのいずれか一方のみの編集が可能である。つまり、拡大画面８２において、表面画像Ｉａおよび裏面画像Ｉｂのいずれか一方のみが選択された状態で、削除アイコン６３、右回転アイコン６４、左回転アイコン６５が押下されると、表示制御部２４０は、画像単位で削除や回転を行う。また、その編集結果は、拡大画面８２上だけではなく、第２領域５２にも反映される。
【００６２】
図１２は、スキャン進捗表示画面Ｄ３の表示例を示す図である。スキャン進捗表示画面Ｄ３は、「原稿の読み取り結果を表示する表示領域」の一例である。表示制御部２４０は、画像一覧表示画面Ｄ２だけでなく、スキャナー１によるスキャン処理の進捗状況を示すスキャン進捗表示画面Ｄ３においても、表面画像Ｉａおよび裏面画像Ｉｂを、原稿単位（画像組単位）で表示する。スキャン進捗表示画面Ｄ３は、画面左側の進捗表示領域９１と、画面右側の拡大画像領域９２と、を含む。進捗表示領域９１は、表示画像データおよび裏面画像データが読み取られた順に、それらに基づく画像組Ｇを表示する。同図は、３枚の原稿が既にスキャンされている例を示す。そして、１枚目、２枚目、３枚目の原稿の読み取り結果を、それぞれ画像組Ｇ７、画像組Ｇ８、画像組Ｇ９として表示している。なお、画像組Ｇ８の裏面画像Ｉｂと、画像組Ｇ９の表面画像Ｉａは、白紙ページのため黒塗り表示となっている。また、符号９５に示すマークは、スキャン処理が継続していることを示す。一方、拡大画像領域９２は、スキャン処理中の表面画像データおよび裏面画像データに基づく拡大表面画像ＢＩａおよび拡大裏面画像ＢＩｂを表示する。
【００６３】
なお、特に図示しないが、画像一覧表示画面Ｄ２に表示される編集アイコン群６０、編集ボタン群７０およびスライダー７４を、スキャン進捗表示画面Ｄ３に設けてもよい。つまり、スキャン進捗表示画面Ｄ３において、重なり変更操作部２２０および編集操作部２３０による操作を可能としてもよい。
【００６４】
また、図１２のスキャン進捗表示画面Ｄ３では、表面画像Ｉａを裏面画像Ｉｂに対し左上に位置ずれした状態で示しているが、画像一覧表示画面Ｄ１，Ｄ２と同様に、表面画像Ｉａを裏面画像Ｉｂに対し右下に位置ずれした状態で示してもよい。逆に、画像一覧表示画面Ｄ１，Ｄ２において、表面画像Ｉａを裏面画像Ｉｂに対し左上に位置ずれした状態で示してもよい。
【００６５】
以上説明したとおり、本実施形態に係る画像読取システムＳＹによれば、「原稿単位で編集」モード時において、同一の原稿の両面を読み取った読み取り結果から得られる表面画像Ｉａと裏面画像Ｉｂの一部を重ねて表示するため、ユーザーは、これら２枚の画像が表裏の関係であることを容易に把握できる。また、表面画像Ｉａおよび裏面画像Ｉｂを一括して編集する編集操作が可能であるため、表面画像Ｉａと裏面画像Ｉｂに対しそれぞれ編集操作を行う場合と比較して、ユーザーの手間を軽減できる。さらに、表面画像Ｉａと裏面画像Ｉｂとの重なり具合を変更可能であるため、重なり順が下側の裏面画像Ｉｂの視認性を確保することができる。
【００６６】
また、表面画像データおよび裏面画像データを、これらが表裏の関係となることを示す付加情報と共に出力するため、出力された装置やアプリケーションでは、付加情報に基づいて画像データを有効利用することができる。例えば、両面印刷が可能な印刷装置に出力データを出力した場合、印刷装置が、付加情報に基づいて、２枚の画像データが表裏の関係にあることを判定した上で印刷を行うことで、元の原稿を複製することができる。また、画像編集アプリケーションに出力データを出力した場合、画像編集アプリケーションが、付加情報に基づいて、２枚の画像データが表裏の関係にあることを判定することで、原稿ごとに異なる画像処理を施すことができる。
【００６７】
なお、上記の実施形態に限らず、以下の変形例を採用可能である。
［変形例１］
上記の実施形態では、スライダー７４を用いて表面画像Ｉａと裏面画像Ｉｂとの重なり具合を変更させたが、表示領域のサイズ、表面画像Ｉａおよび裏面画像Ｉｂの画像サイズ、表示領域に表示される表面画像Ｉａおよび裏面画像Ｉｂの数、のうち少なくとも１つの情報に応じて、表面画像Ｉａと裏面画像Ｉｂとの重なり具合を変更させてもよい。「表示領域」とは、例えば画像一覧表示画面Ｄ２、またはその第２領域５２、若しくはスキャン進捗表示画面Ｄ３、またはその進捗表示領域９１を指す。
【００６８】
つまり、表示制御部２４０により、表示領域のサイズが小さくまたは大きくなるにつれて重なり具合を大きくする、表面画像Ｉａおよび裏面画像Ｉｂの画像サイズが小さくまたは大きくなるにつれて重なり具合を大きくする、表示領域に表示される表面画像Ｉａおよび裏面画像Ｉｂの数が少なくまたは多くなるにつれて重なり具合を大きくする、などの制御を行ってもよい。この構成によれば、ユーザーの操作を必要とすることなく、適切な重なり具合で表面画像Ｉａおよび裏面画像Ｉｂを表示させることができる。例えば、表示領域のサイズが小さい場合は、サイズが大きい場合よりも表面画像Ｉａおよび裏面画像Ｉｂの画像サイズを小さくすることが考えられるが、表示領域のサイズが小さくなるにつれて重なり具合を大きくすることで、画像サイズをそれほど小さくしなくてもよい。逆に、表示領域のサイズが大きくなるにつれて重なり具合を小さくすることで、重なり順が下側の画像の視認性をよくすることができる。
【００６９】
［変形例２］
また、上記の実施形態では、スライダー７４が操作された場合、画像一覧表示画面Ｄ２に表示された全ての画像組Ｇを対象として、表面画像Ｉａと裏面画像Ｉｂとの重なり具合を変更したが、選択状態にある画像組Ｇのみを対象として、表面画像Ｉａと裏面画像Ｉｂとの重なり具合を変更してもよい。
【００７０】
［変形例３］
上記の実施形態では、「表示装置」としてＰＣ２を例示したが、タブレット端末（タッチ式センサー付のディスプレーを備えた装置）やサーバーなど、各種情報処理装置を「表示装置」として用いてもよい。なお、タブレット端末を「表示装置」として用いる場合、表示領域のサイズや、表面画像Ｉａおよび裏面画像Ｉｂの画像サイズを変更する操作としては、ピンチイン、ピンチアウト操作などが考えられる。
【００７１】
［変形例４］
また、スキャナー１とＰＣ２を一体化し、スキャナー１内に、図２に示したＰＣ２の各部を設けてもよい。この場合、スキャナー１の操作パネル１５に、図３〜図１２に示した画面を表示すればよい。また、スキャナー１以外にも、読取機構１６を備えた装置（複合機など）を「表示装置」としてもよい。
【００７２】
［変形例５］
上記の実施形態の出力データ生成部２５０は、面画像データおよび裏面画像データが表裏の関係となることを示す付加情報を含む出力データを生成したが、付加情報として、表裏の関係となることを示す情報ではなく、各画像データが表面画像Ｉａに対応するか裏面画像Ｉｂに対応するかを示す情報を生成してもよい。この構成によれば、例えば、画像編集アプリケーションに出力データを出力した場合、画像編集アプリケーションにおいて、表面画像データのみ、または裏面画像データのみに特定の画像処理を施す、などの処理が可能となる。また、さらなる変形例として、各画像データが表面画像Ｉａに対応するか裏面画像Ｉｂに対応するかを示す情報と、表裏の関係となることを示す情報と、を付加情報として生成してもよい。例えば、「表１」や「裏１」など、表裏を識別する情報と、原稿を識別する情報とを組み合わせたものを付加情報として付加することが考えられる。この構成によれば、例えば出力先のアプリケーションで、原稿の奇数ページの表面画像データのみに画像処理を行う、などの処理が可能となる。
【００７３】
［変形例６］
また、出力データ生成部２５０は、保存ボタン７３が選択されたとき、第２領域５２に表示された１以上の画像に対応する１以上の画像データに基づいて出力データを生成したが、第２領域５２に表示された１以上の表面画像Ｉａに対応する１以上の表面画像データに基づいて出力データを生成する処理、または第２領域５２に表示された１以上の裏面画像Ｉｂに対応する１以上の裏面画像データに基づいて出力データを生成する処理を行ってもよい。この場合、「表面のみ保存」、「裏面のみ保存」、「表面および裏面を保存」のいずれかを選択可能とし、その選択結果に応じて、いずれの処理を行うかを決定すればよい。
【００７４】
［変形例７］
上記の実施形態においてスキャナー１は、「両面原稿スキャン」が指示された場合、原稿の両面を同時にスキャンするものとしたが、必ずしも同時にスキャンする必要はない。例えば、原稿の片面のみを先にスキャンし、その後原稿の逆の面をスキャンする構成でもよい。但し、原稿が複数枚存在する場合、原稿の逆の面をスキャンする際に順番が逆になる（例えば原稿が２枚存在し、「表１」、「表２」の順にスキャンした後、ユーザーが原稿の順序を入れ替えない場合は、「裏２」、「裏１」の順にスキャンされる）ため、表示制御部２４０は、逆の面の画像について表示順序を入れ替える制御を行う必要がある。また、１枚目の原稿の表面、１枚目の原稿の裏面、２枚目の原稿の表面、２枚目の原稿の裏面、の順にスキャンする構成でもよい。
【００７５】
［変形例８］
上記の実施形態では、「表示制御プログラム」の一例として、スキャナードライバー４２を例示したが、スキャナードライバー４２とは別のアプリケーションを、「表示制御プログラム」として用いてもよい。また、当該プログラムをＰＣ２と通信可能な別装置（サーバーなど）に設け、ＰＣ２が別装置と通信を行いながら表示制御を行う構成でもよい。
【００７６】
［変形例９］
上記の実施形態および変形例に示した画像読取システムＳＹ内の各装置における各構成要素（各機能）をプログラムとして提供しても良い。また、そのプログラムを各種記録媒体（ＣＤ−ＲＯＭ、フラッシュメモリー等）に格納して提供しても良い。すなわち、コンピューターを画像読取システムＳＹ内の各装置の各構成要素（各機能）として機能させるためのプログラム、それを記録したコンピューター読み取り可能な記録媒体も、本発明の権利範囲に含まれる。その他、本発明の要旨を逸脱しない範囲で、適宜変更が可能である。
【符号の説明】
【００７７】
１…スキャナー、２…ＰＣ、１１０…読取部、２１０…取得部、２２０…変更操作部、２３０…編集操作部、２４０…表示制御部、２５０…出力データ生成部、２６０…出力部、ＳＹ…画像読取システム
【図１】
2018152648.tif 000003
【図２】
2018152648.tif 000004
【図３】
2018152648.tif 000005
【図４】
2018152648.tif 000006
【図５】
2018152648.tif 000007
【図６】
2018152648.tif 000008
【図７】
2018152648.tif 000009
【図８】
2018152648.tif 000010
【図９】
2018152648.tif 000011
【図１０】
2018152648.tif 000012
【図１１】
2018152648.tif 000013
【図１２】
2018152648.tif 000014